(57)【要約】      （修正有）【課題】任意の角度をｎ等分できる角度等分機具を提供する。【解決手段】ローラーと、ローラーを回転可能に支持するハンドルとローラーの円形状の底面に添付された紙製円盤と、から成る角度等分機具であって、円盤はローラーへの差し込み口を有する。任意の角度のｎ等分は、扇形の弧の等分と同じである。弧をローラーの円周に転記し、回転させて直線Ｂに変換し、この直線を等分した点を、再度ローラーを回転させて扇形の弧に転記する事で等分が可能となる。【選択図】図１
0003207019.tif 000002
【実用新案登録請求の範囲】
【請求項１】
筆記用具を用いて等分する扇形の弧と合同の印を表示した円盤と、
前記円盤を保持するローラーを備え、
直線上の始発点０に前記円盤の弧の始発線を合わせた点をＤ′とし、
０点から前記ローラーを回転して弧の他方の点Ｃ′が到達した点Ｑｎまでの移動軌跡をｎ等分して表示する事を特徴とする、
任意角の等分方法。
【請求項２】
円盤には複数枚の紙を貼り合わせた紙群を添付する事を特徴とする
任意角の等分方法。
【考案の詳細な説明】
【技術分野】
【０００１】本考案は、設計等における任意の角度の等分及びデザイン分野での活用、その他教育現場に関する。
【背景技術】
【０００２】角度の３等分については、方法及び機具が開発されているが、ｎ等分については簡易な用具は見当たらない。
【先行技術文献】
【０００３】
【特許文献】
【特許文献】特許第４２６６３２２号  公報
【考案の概要】
【考案が解決しようとする課題】
【０００４】通常の「分度器」では、例えば、９０度の７等分は正確に測れない。【０００５】本考案は、任意の角度をｎ等分するものである。
【課題を解決するための手段】
【０００６】等分する扇形の弧と合同の扇形に印（点Ｃ’、Ｄ’）を表示した円盤と、前記円盤を保持するローラーを備え、直線上の始発点０からローラーを回転して弧上の点Ｄ’が到達した点Ｑｎまでの移動軌跡をｎ等分する事により、角度のｎ等分が可能となる。
【考案の効果】
【０００７】任意の角度が、何等分でも可能となる。
【図面の簡単な説明】
【０００８】
【図１】任意の角度の等分法に関する基本的考え方を示す図。
【図２】ローラーの回転を、上から見た図。
【図３】正五角形作成のため、半円の５等分方法を示した説明図。
【図４】正五角形を示した図。
【図５】ローラーの形態を示した斜面図。
【図６】ローラーの側面図。
【図７】紙製円盤を示した図。
【図８】図７の紙製円盤を貼り付けたローラーを上からみた図
【図９】ローラーに厚紙を使用した構造を示した図。
【考案を実施するための形態】
【０００９】以下、本考案の実施の形態を  図１．から図９．に基ずいて説明する。
【００１０】（１）任意角のｎ等分法
図１を用いて説明する。
Ａ，Ｂの２直線が点０で交わって出来る角度を∠Ａ０Ｂとする。
任意の∠Ａ０Ｂのｎ等分は、扇形０ＣＤの弧ＣＤをｎ等分する事と同一になる。
【００１１】図１の扇形０ＣＤは、点０を中心として半径ｒの円を描き、直線Ａ、Ｂと交わる点をＣ、Ｄとして示される。円の軌跡は波線で示した。、波線上のＫは扇形０ＣＤの弧ＣＤであり、Ｋをｎ等分する。
扇形０ＣＤと合同の扇形０′Ｃ′Ｄ′を、図６に示したのローラーｊの側面に図７に示した円盤を添付し表示する。
【００１２】  ローラーｊの始発線を図２の点０に合わせて置き、直線Ｂに沿ってローラーｊを回転させ弧Ｃ′Ｄ′を直線に変換する。Ｃ’Ｄ’の変換した直線を、相似形の平行線を利用してｎ等分し、等分点を再度ローラーｊの扇形に表示し、前述した等分点を弧ＣＤに転記する事で∠Ａ０Ｂはｎ等分される。
その手順を以下に説明する。
【００１３】半径ｒの円を描き、∠Ａ０Ｂの扇形０ＣＤを作る。前述した扇形の弧ＣＤ（波線表示）をｎ等分する事になる。
【００１４】直線Ａ上に、０から等間隔に順次ｎ個の点Ｐ１、Ｐ２、Ｐ３．．．Ｐｎ−１、Ｐｎを記入する。
（０Ｐ１＝Ｐ１Ｐ２＝Ｐ２Ｐ３＝Ｐ３Ｐ４＝．．．＝Ｐｎ−１Ｐｎ）
【００１５】弧ＣＤを等分するため、図６で示したローラーを用いて図２の要領で直線Ｂ上に弧ＣＤを直線の長さに変換する。点Ｃ’が届いた所をＱｎとし、Ａ線上の点Ｐｎと直線で結ぶ。
【００１６】Ａ上のＰ１、Ｐ２、Ｐ３．．．から直線ＰｎＱｎに平行な直線を引き、直線０Ｂとの交点をＱ１，Ｑ２，Ｑ３，．．．Ｑｎ−１とする。これにより、０Ｑｎ（弧Ｃ′Ｄ′の変換）はｎ等分され、０Ｑ１＝Ｑ１Ｑ２＝Ｑ２Ｑ３＝．．．Ｑｎ−１Ｑｎとなる。
【００１７】再度ローラーを用いて、ローラーの扇形０′Ｃ′Ｄ′の弧Ｃ′Ｄ′にＱ１、Ｑ２、Ｑ３、．．．Ｑｎを転記すると弧ＣＤの等分点が表示されるので、これをローラーのＣ′Ｄ′から扇形０ＣＤの弧ＣＤ上に転記する。
【００１８】点０とＱ１’，Ｑ２’，Ｑ３’，．．．Ｑｎ−１を結ぶと∠Ａ０Ｂはｎ等分される。
図１は３等分を例示したものである。
【００１９】（１）正五角形（５等分）の場合
図３を用いて説明する。
【００２０】半径ｒの円周を５等分する場合には、図３に示した様に、半円周の５等分を実施する作業である。
【００２１】基本的には図１で説明した方法と同一である。
直線Ａに５等分点を表示し、直線Ｂにローラーｊで円弧Ｃ′Ｄ′の回転軌跡を表示し、平行線で５分割したものを、ローラーの円盤に転記する。
図４の、半径ｒの円に、図３でローラーの円盤に表示されているＱ１’〜Ｑ５’を転記し２点間を直線で描けば、正五角形が描けることになる。
【００２２】ローラーｊは、図８、図９の何れかの使用が可能である。何れも、半径ｒの円盤を使用するが、構造上図８は薄いわら半紙を使用するため、複数回（２〜３回）利用した後は新円盤と交換する必要がある。図９は、複数の厚紙円盤をはり合わせた物であるので、２〜３回使用した後は、１枚ずつ円盤を取りずす事で対応出来る。
【符号の説明】
【００２３】Ａ  角度を示す直線
Ｂ  基準となる直線
０  直線Ａ、Ｂの交点。ローラー（図２）の始発点。
Ｃ  点０を中心点とする円（半円）と直線Ａの交点。
Ｄ  同円と直線Ｂの交点。
Ｃ′  扇形０ＣＤと合同の扇形をローラー（図６）の円盤にＣ点を転記した点。
Ｄ′  同円盤にＤ点を転記した点。
０′  同円盤に０点を転記した点。
ｒ  ローラー（図６）の半径。
Ｋ  扇形０ＣＤの弧ＣＤ。（波線上の点Ｃ，Ｄ区間）
Ｐ１、Ｐ２，Ｐ３，．．．Ｐｎ−１、Ｐｎ  直線Ａ上のｎ個の等間隔点
Ｑ１，Ｑ２，Ｑ３（．．．．Ｑｎ）  直線Ｂ上のｎ（例示は３）等分点。
Ｑ１’，Ｑ２’  弧ＣＤのｎ（例示は３）等分点。
ａ  ローラーの中心棒。
ｂ  ローラーの回転方向。
０Ｂ  図１の直線０Ｂと同じ。
Ｑ１′，Ｑ２′’〜Ｑ５′  半円の５等分点。
ｃ  ローラーのハンドル。
ｄ  円盤の始発線。
０Ｂ  図１の直線０Ｂと同じ。
ｄ  円盤の始発線。
ｅ、ｆ、ｇ、ｈ  円盤を貼付けるのり付けの位置。
ｉ  円盤差し込み口。（切り取り）
ｊ  ローラーの回転部分
ｋ、ｌ  添付した紙製円盤。
ｒ  図１の半径と同一。
ｓ  図７と同形の厚紙円盤。
ｔ  ローラーの芯。
【図１】
0003207019.tif 000003
【図２】
0003207019.tif 000004
【図３】
0003207019.tif 000005
【図４】
0003207019.tif 000006
【図５】
0003207019.tif 000007
【図６】
0003207019.tif 000008
【図７】
0003207019.tif 000009
【図８】
0003207019.tif 000010
【図９】
0003207019.tif 000011
【手続補正書】
【提出日】平成28年7月21日(2016.7.21)
【手続補正１】
【補正対象書類名】実用新案登録請求の範囲
【補正対象項目名】全文
【補正方法】変更
【補正の内容】
【実用新案登録請求の範囲】
【請求項１】
ローラーと、ローラーを回転可能に支持するハンドルとローラーの円形状の底面に添付された紙製円盤と、から成る角度等分機具であって、前記円盤はローラーへの差し込み口を有する事を特徴とする角度等分機具。